(57)【要約】【課題】直径が異なる複数の竪樋に共用することができる出隅竪樋システムを提供する。【解決手段】建物の出隅部に設置される出隅竪樋システム１０は、建物の出隅部を構成する躯体柱３に固定される支持具２０と、支持具２０によって支持される竪樋１２とを備える。支持具２０は、基板部２２と、基板部２２の幅方向両端部から外方へ向かって末広がり状にそれぞれ突出する傾斜面部２４ａ，２４ｂとを有する。各傾斜面部２４ａ，２４ｂの外方に向いた表面には、一対の第１係止部２８と、一対の第２係止部３０とが形成されている。第１係止部２８は所定の直径を有する小径竪樋から外径側へ突出する係止爪部が係止されることで小径竪樋を支持可能であり、第２係止部３０は小径竪樋よりも大径の大径竪樋１２ａから外径側へ突出する係止爪部４２が係止されることで大径竪樋１２ａを支持可能である。【選択図】図５
2019206810.tif 000002
【特許請求の範囲】
【請求項１】
建物の出隅部に設置される出隅竪樋システムであって、
前記建物の出隅部を構成する躯体柱に固定される支持具と、
前記支持具によって支持される竪樋と、を備え、
前記支持具は、基板部と、前記基板部の幅方向両端部から外方へ向かって末広がり状にそれぞれ突出する傾斜面部とを有し、
前記各傾斜面部の外方に向いた表面には、互いに近づく方向に突出する一対の第１係止部と、前記第１係止部よりも外方の位置で互いに近づく方向に突出する一対の第２係止部とが形成されており、
前記第１係止部は所定の直径を有する第１竪樋から外径側へ突出する第１係止爪部が係止されることで第１竪樋を支持可能であり、前記第２係止部は前記第１竪樋よりも大径の第２竪樋から外径側へ突出する第２係止爪部が係止されることで前記第２竪樋を支持可能である、
出隅竪樋システム。
【請求項２】
前記各傾斜面部は前記基板部に対して直交する方向に沿って外方へ突出する先端部をそれぞれ有しており、前記先端部は前記第１及び第２竪樋のいずれの場合でも竪樋外周面に当接する、請求項１に記載の出隅竪樋システム。
【請求項３】
前記第１係止部の内側には前記第１竪樋の第１係止爪部が上下方向に抜けるのを防止する突起が設けられている、請求項１又は２に記載の出隅竪樋システム。
【請求項４】
前記基板部の裏面には、前記躯体柱との間に形成される空間に突出するリブが突設されている、請求項１〜３のいずれか一項に記載の出隅竪樋システム。
【請求項５】
前記第１竪樋は、竪樋継手と、前記竪樋継手によって連結される上側竪樋部及び下側竪樋部とを含み、
前記竪樋継手は、前記上側竪樋部が嵌合される上側嵌合部と、前記下側竪樋部が嵌合される下側嵌合部と、前記上側嵌合部と前記下側嵌合部との間に設けられた環状の帯部とを有し、
前記第１係止爪部は前記帯部から外径側に突出して形成されるとともに前記帯部よりも上下方向の幅が広く形成されており、前記第１係止爪部と前記上側嵌合部及び下側嵌合部との間には前記上側竪樋部及び前記下側竪樋部がそれぞれ嵌り込む隙間がそれぞれ形成されている、請求項１〜４のいずれか一項に記載の出隅竪樋システム。
【発明の詳細な説明】
【技術分野】
【０００１】
本開示は、建物の出隅部に設置される出隅竪樋システムに関する。
【背景技術】
【０００２】
従来、特許文献１には、竪樋取付具が開示されている。この竪樋取付具は、建物の外壁に固定される壁固定部材と、竪樋の背面に突出形成した取付部を挟着係止し、壁固定部材に対して竪樋の長手方向に沿ってスライドできるように連結される挟着体とを備えている。挟着体は、ばね性を有した一組の挟着片を備えた溝状体よりなり、挟着片のそれぞれの外面には凹溝が形成され、凹溝内には長手方向に沿って連続凹凸が形成されている。また、壁固定部材は、挟着体をその溝底の外面側より抱え込んだ状態で凹溝に嵌入する一組の爪片を備え、爪片には連続凹凸に噛合する連続凹凸が形成されている。
【０００３】
このような構成を有する竪樋取付具では、一組の挟着片が弾性作用により拡開したときには連続凹凸同士の噛合により係止されて、壁固定部材が挟着体に固定される一方、一組の挟着片が弾性復帰したときには係止が解除されて、壁固定部材が挟着体を抱え込んだ状態でスライド自在となる。これにより、壁固定部材が挟着体を抱え込んだ状態でスライド調整することができるので、壁固定部材への取付位置と、竪樋の取付部との竪樋の長手方向の位置合わせを容易かつ迅速に行うことができると記載されている。
【先行技術文献】
【特許文献】
【０００４】
【特許文献１】特開２０１４−１９００２４号公報
【発明の概要】
【発明が解決しようとする課題】
【０００５】
ところで、建物の出隅部に設置される竪樋は、建物の屋根面積や軒樋の設置形態などに応じて、直径が異なる複数の種類のものから適切な直径の竪樋が選択されて設置されることがある。その場合、竪樋を建物の躯体に固定状態に支持する支持具を直径が異なる竪樋ごとに別のものを用いる構成では、複数の支持具を製造、管理、準備等する必要があることから、煩雑である。
【０００６】
本開示の目的は、直径が異なる複数の竪樋について共用することができる出隅竪樋システムを提供することにある。
【課題を解決するための手段】
【０００７】
本開示に係る出隅竪樋システムは、建物の出隅部に設置される出隅竪樋システムであって、建物の出隅部を構成する躯体柱に固定される支持具と、支持具によって支持される竪樋と、を備える。支持具は、基板部と、基板部の幅方向両端部から外方へ向かって末広がり状にそれぞれ突出する傾斜面部とを有する。各傾斜面部の外方に向いた表面には、互いに近づく方向に突出する一対の第１係止部と、第１係止部よりも外方の位置で互いに近づく方向に突出する一対の第２係止部とが形成されている。第１係止部は所定の直径を有する第１竪樋から外径側へ突出する第１係止爪部が係止されることで第１竪樋を支持可能であり、第２係止部は第１竪樋よりも大径の第２竪樋から外径側へ突出する第２係止爪部が係止されることで第２竪樋を支持可能である。
【発明の効果】
【０００８】
本開示に係る出隅竪樋システムによれば、直径が異なる複数の竪樋について支持具を共用することができ、その結果、支持具の製造、管理、準備等が容易となり、製造コストも低減できる。
【図面の簡単な説明】
【０００９】
【図１】本開示の一実施形態である出隅竪樋システムが適用される建物の水平面に沿った簡略断面図である。
【図２】出隅竪樋システムを構成する支持具の取付状態を示す斜視図である。
【図３】支持具の斜視図と、矢印Ａ方向から見た一部上面図である。
【図４】支持具に大径竪樋が取り付けられた状態を示す斜視図である。
【図５】大径竪樋の係止爪部が支持具に係止されている状態を示す上面図である。
【図６】支持具に小径竪樋が取り付けられた状態を示す斜視図である。
【図７】小径竪樋を構成する竪樋継手を示す斜視図である。
【図８】図７中のＢ−Ｂ線拡大断面図である。
【図９】小径竪樋を構成する竪樋継手の係止爪部が支持具に係止されている状態を示す上面図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等に合わせて適宜変更することができる。また、以下において複数の実施形態や変形例などが含まれる場合、それらの特徴部分を適宜に組み合わせて用いることは当初から想定されている。
【００１１】
図１は、本開示の一実施形態である出隅竪樋システム１０が適用される建物１の水平面に沿った簡略断面図である。図１では、略正方形の断面形状を有する建物１が例示されている。建物１の四方の側壁には、外壁材４が設置されている。外壁材４は、建物１の側壁を構成する例えば合板からなる内壁材（図示せず）に釘等によって固定されている。また、建物１は、略直角をなす４つの出隅部２を有する。出隅部２には、例えば木材からなる躯体柱３が設けられている。躯体柱３は、鉛直方向に沿って延在して設けられている。
【００１２】
４つの出隅部２のうち、建物１の対角に位置する２つの出隅部２には、出隅竪樋システム１０が設置されている。建物１の屋根に降った雨水は、軒先に設けた軒樋で集水される。出隅竪樋システム１０は、上下方向に延在して設置される竪樋１２によって、軒樋から流出する雨水を下方に導水して排水する機能を有する。
【００１３】
なお、図１では出隅部２において２つの外壁材４が直角をなす例を示すが、これに限定されるものではなく、上記２つの外壁材４が互いに鈍角または鋭角をなす場合であっても本実施形態の出隅竪樋システム１０を適用することは可能である。また、図１では建物１において４つの出隅部２のうち対角に位置する２つの出隅部２に出隅竪樋システム１０を設置する例について説明について説明しが、出隅竪樋システム１０を設置する出隅部２の位置および数は適宜に変更されてもよい。
【００１４】
図２は、出隅竪樋システム１０を構成する支持具の取付状態を示す斜視図である。図２（他図でも同様）において、矢印Ｘ及びＹは、水平面内において互いに直交する２方向を示し、矢印Ｚは水平面に直交する鉛直方向または上下方向を示している。
【００１５】
図２に示すように、出隅竪樋システム１０は、躯体柱３の角部に固定される出隅部材５を備えてもよい。出隅部材５は、例えば、金属板に曲げ加工や溶接等を施すことによって一体に形成されている。なお、図１において出隅部材５は、上部及び下部が切断された状態で示されるが、実際には上下方向に長く延在する長尺部材であってもよい。
【００１６】
出隅部材５は、互いに直角をなす内側壁部５ａ，５ｂを備える。内側壁部５ａ，５ｂは、躯体柱３の直交する２側面に接触するように宛てがわれた状態で、木ねじ７によって躯体柱３に固定されている。なお、躯体柱３への出隅部材５の固定は、木ねじに代えて釘を用いてもよい。
【００１７】
出隅部材５は、互いに直交する向きで外方に突出する第１支持壁部６ａ及び第２支持壁部６ｂを備えている。第１支持壁部６ａ及び第２支持壁部６ｂは、上面視で上記内側壁部５ａ，５ｂと十字状をなして一体に形成されている。第１支持壁部６ａの先端部は矢印Ｘ方向に沿って直角に折り曲げられ、第２支持壁部６ｂの先端部は矢印Ｙ方向に沿って直角に折り曲げられている。このように第１支持壁部６ａ及び第２支持壁部６ｂの先端部がそれぞれ直角に折り曲げ形成されていることで、外壁材（図１参照）の端部を受け入れて外れないように支持することができる。また、第１支持壁部６ａ及び第２支持壁部６ｂは、後述する支持具２０に当接して支持する機能を有している。
【００１８】
出隅竪樋システム１０は、支持具２０を備える。支持具２０は、建物１の出隅部２を構成する躯体柱３に木ねじ７によって固定される。支持具２０は、例えば、アルミニウム合金等の金属材料を押し出し成形することによって形成される。支持具２０は、控金具と呼ばれることもある。ただし、支持具２０は、金属製のものに限定されず、例えば樹脂材料によって形成されてもよい。
【００１９】
図３は、支持具２０の斜視図と、矢印Ａ方向から見た一部上面図である。図２及び図３に示すように、支持具２０は、例えば平板状等をなす基板部２２と、基板部２２の幅方向両端部から外方へ向かって末広がり状にそれぞれ突出する傾斜面部２４ａ，２４ｂとを有する。ここで、「幅方向」とは上下方向Ｚに直交し且つ基板部２２の表面に沿った方向であり、本実施形態では略長方形状をなす基板部２２の短辺に沿った方向である。また、「外方」とは、躯体柱３から離れる側の方向を意味する。
【００２０】
基板部２２の裏面には、一対のリブ２３が幅方向に所定の間隔をあけて上下方向に延在して形成されている。このような一対のリブ２３が形成されることで、基板部２２ひいては支持具２０の強度が増強されている。また、一対のリブ２３は、出隅部材５に支持具２０が取り付けられたときに第１及び第２支持壁部６ａ，６ｂの表面に当接し（図５参照）、その結果、出隅部材５に対する支持具２０の安定した取付状態を実現できる。
【００２１】
さらに、一対のリブ２３は、出隅部材５を介して支持具２０を躯体柱３に固定した後、基板部２２と出隅部材５の第１及び第２支持壁部６ａ，６ｂとの間に形成された上面視三角状の空間に上方より水が浸入するのを防止するための例えばシリコン等からなるシーリング材を盛ったときに、当該シーリング材を下方より受ける機能を有している。
【００２２】
基板部２２の上下方向中央部には、貫通孔２６が形成されている。この貫通孔２６を介して木ねじ７が挿通されて、出隅部材５を貫通して躯体柱３にねじ込まれる。
【００２３】
基板部２２の幅方向両端部から外方へ向かって末広がり状にそれぞれ突出する傾斜面部２４ａ，２４ｂは、基板部２２に対して鈍角をなして延びている。具体的は、傾斜面部２４ａ，２４ｂの内面と基板部２２とがなす角度θは、例えば１３５度に設定されている。これにより、各傾斜面部２４ａ，２４ｂは互いに直角をなして延在することで、出隅部材５に取り付けられたときに第１および第２支持壁部６ａ，６ｂに沿って当接することができ、支持具２０の安定した取付状態を実現できる。
【００２４】
各傾斜面部２４ａ，２４ｂの外方に向いた表面には、互いに近づく方向に突出する突出する一対の第１係止部２８と、第１係止部２８よりも外方の位置で互いに近づく方向に突出する一対の第２係止部３０とが形成されている。第１係止部２８及び第２係止部３０は、支持具２０が押し出し成形によって形成されることから、傾斜面部２４ａ，２４ｂの上下方向全体に延在している。本実施形態では、第１係止部２８が上面視Ｌ字状をなして突出した形状に形成され、第２係止部３０は長方形状に突出した形状に形成されている。また、一対の第２係止部３０は、一対の第１係止部２８に対して幅方向の外側に配置されている。
【００２５】
各傾斜面部２４ａ，２４ｂは基板部２２に対して直交する方向に沿って外方へ突出する先端部２５ａ，２５ｂをそれぞれ有している。各先端部２５ａ，２５ｂは、後述するように直径が異なる大径竪樋及び小径竪樋のいずれの場合でも竪樋外周面に当接するようになっている。
【００２６】
また、一対の第１係止部２８の内側には、突起３２がそれぞれ設けられている。突起３２は、図３に示すように、第１係止部２８の上端部及び下端部にそれぞれ形成されている。突起３２は、外方から第１係止部２８を押し込み変形させることによって、第１係止部２８の内側に突出するように形成される。第１係止部２８の内側において突起３２は略半球状の表面をなして形成されている。
【００２７】
図４は、支持具２０に大径竪樋（第２竪樋）１２ａが取り付けられた状態を示す斜視図である。図５は、大径竪樋１２ａの係止爪部（第２係止爪部）４２が支持具２０に係止されている状態を示す上面図である。
【００２８】
出隅竪樋システム１０は、竪樋１２を備える。本実地形態の出隅竪樋システム１０では、支持具２０を共用としながら、直径が異なる２種類の竪樋１２ａ，１２ｂを建物１の出隅部２に取り付けることができる。
【００２９】
図４及び図５は、所定の直径を有する大径竪樋１２ａが支持具２０によって支持された状態を示している。具体的には、大径竪樋１２ａの外径は例えば６０ｍｍである。
【００３０】
図４及び図５に示すように、大径竪樋１２ａの外周面には、一対の係止爪部（第２係止爪部）４２が外径側へ突出して設けられている。大径竪樋１２ａは、例えば、樹脂材料を押し出し成形することによって円筒状に形成されており、この場合には一対の係止爪部４２は大径竪樋１２ａの軸方向全長にわたって形成されている。
【００３１】
一対の係止爪部４２は、上面視で反対方向にＬ字状をなして曲がった形状をそれぞれ有し、互いに遠ざかる方向に延出している。このように形成されている一対の係止爪部４２が支持具２０の第２係止部３０に係止されることによって、大径竪樋１２ａが支持具２０に取り付けられる。このとき、大径竪樋１２ａの一対の係止爪部４２は、支持具２０の一対の第２係止部３０に対して上方または下方から挿入することによって係止した状態に組み付けられる。
【００３２】
図５に示すように、大径竪樋１２ａが支持具２０によって支持された状態で出隅部材５を介して躯体柱３に固定されたとき、支持具２０の傾斜面部２４ａ，２４ｂの先端部２５ａ，２５ｂは、円筒状をなす大径竪樋１２ａの外周面に当接した状態になっている。これにより、大径竪樋１２ａの安定した取付状態を実現することができ、大径竪樋１２ａが風によって揺れることで振動や騒音が発生するのを防止することができる。
【００３３】
また、図５に示すように、支持具２０は、基板部２２に設けたリブ２３と、傾斜面部２４ａ，２４ｂの外側表面とが、出隅部材５の第１及び第２支持壁部６ａ，６ｂに当接した状態となっている。これにより、出隅部材５に対する支持具２０の取付状態を安定させることができ、これによっても大径竪樋１２ａの安定した取付状態を実現することができる。
【００３４】
次に、図６ないし図９を参照して小径竪樋（第１竪樋）１２ｂが支持具２０によって支持される場合について説明する。図６は、支持具２０に小径竪樋１２ｂが取り付けられた状態を示す斜視図である。図７は、小径竪樋１２ｂを構成する竪樋継手５０を示す斜視図である。図８は、図７中のＢ−Ｂ線拡大断面図である。
【００３５】
図６に示すように、小径竪樋１２ｂは、中空状の竪樋継手５０と、この竪樋継手５０に連結される上側竪樋部１３ａ（図８参照）及び下側竪樋部１３ｂとを含む。竪樋継手５０は、例えば、樹脂成型品によって好適に構成される。また、上側竪樋部１３ａ及び下側竪樋部１３ｂは、いずれも樹脂製の円筒部材であり、上述した大径竪樋１２ａよりも小径の直径を有する。具体的には、上側竪樋部１３ａ及び下側竪樋部１３ｂの直径は、例えば、４５ｍｍである。
【００３６】
竪樋継手５０は、図７に示すように、上側竪樋部１３ａが嵌合される円筒状の上側嵌合部５２と、下側竪樋部１３ｂが嵌合される円筒状の下側嵌合部５４と、上側嵌合部１３ａと下側嵌合部１３ｂとの間に設けられた環状の帯部５６とを有する。
【００３７】
帯部５６から一対の係止爪部（第１係止爪部）５８が外径側に突出して形成されるとともに帯部５６よりも上下方向の幅が広く形成されている。これにより、図８に示すように、一対の係止爪部５８と上側嵌合部及び下側嵌合部との間には、上側竪樋部１３ａ及び下側竪樋部１３ｂの端部が嵌り込む隙間Ｓがそれぞれ形成されている。
【００３８】
このように一対の係止爪部５８が帯部５６よりも幅広に形成されていることで、係止爪部５８の強度を増強することができる。また、上記のように隙間Ｓに上側竪樋部１３ａ及び下側竪樋部１３ｂの端部が嵌り込んでいることで、竪樋継手５０と上側竪樋部１３ａ及び下側竪樋部１３ｂとを安定した連結状態に維持することができる。
【００３９】
また、一対の係止爪部５８は、上面視で反対方向にＬ字状をなして曲がった形状をそれぞれ有し、互いに遠ざかる方向に延出している。
【００４０】
図９は、小径竪樋１２ｂを構成する竪樋継手５０の係止爪部が支持具に係止されている状態を示す上面図である。図９に示すように、竪樋継手５０の一対の係止爪部５８が支持具２０の第１係止部２８に係止されることによって、小径竪樋１２ｂが支持具２０に取り付けられる。このとき、小径竪樋１２ｂを構成する竪樋継手５０の一対の係止爪部５８は、支持具２０の一対の第１係止部２８に対して上方または下方から挿入することによって係止した状態に組み付けられる。
【００４１】
上述したように一対の第１係止部２８の内側には、第１係止部２８の上端部及び下端部に突起３２がそれぞれ設けられている。一対の第１係止部２８の内側に竪樋継手５０の一対の係止爪部５８が係止される際には、竪樋継手５０を押し込むことで係止爪部５８が弾性変形して突起３２を乗り越えて通過することができる。ただし、係止爪部５８が突起３２を乗り越えて一旦係止されると、突起３２は係止爪部５８の上下方向の端部に当接することによって、竪樋継手５０が支持具２０から抜けるのを防止するストッパとして機能する。これにより、出隅竪樋システム１０の施工時や、竪樋に熱伸縮が生じたときに、竪樋継手５０を含む小径竪樋１２ｂが支持具２０から意図せずに外れてしまうのを防止することができる。
【００４２】
上述したように本実施形態は、建物１の出隅部２に設置される出隅竪樋システム１０であって、建物１の出隅部２を構成する躯体柱３に固定される支持具２０と、支持具２０によって支持される竪樋１２と、を備える。支持具２０は、基板部２２と、基板部２２の幅方向両端部から外方へ向かって末広がり状にそれぞれ突出する傾斜面部２４ａ，２４ｂとを有する。各傾斜面部２４ａ，２４ｂの外方に向いた表面には、互いに近づく方向に突出する一対の第１係止部２８と、第１係止部２８よりも外方の位置で互いに近づく方向に突出する一対の第２係止部３０とが形成されている。第１係止部２８は所定の直径を有する小径竪樋１２ｂから外径側へ突出する係止爪部５８が係止されることで小径竪樋１２ｂを支持可能であり、第２係止部３０は小径竪樋１２ｂよりも大径の大径竪樋１２ａから外径側へ突出する係止爪部４２が係止されることで大径竪樋１２ａを支持可能である。
【００４３】
このように本実施形態の出隅竪樋システム１０によれば、直径が異なる複数の竪樋１２ａ，１２ｂについて支持具２０を共用することができ、その結果、支持具２０の製造、管理、準備等が容易となり、製造コストも低減できる。
【００４４】
本実施形態に係る出隅竪樋システム１０において、各傾斜面部２４ａ，２４ｂは基板部２２に対して直交する方向に沿って外方へ突出する先端部２５ａ，２５ｂをそれぞれ有しており、先端部２５ａ，２５ｂは小径竪樋１２ｂ及び大径竪樋１２ａのいずれの場合でも竪樋外周面に当接するのが好ましい。この構成によれば、小径竪樋１２ｂ及び大径竪樋１２ａのいずれの場合でも支持具２０への安定した取付状態を実現することができ、竪樋１２が風によって揺れることで振動や騒音が発生するのを防止することができる。
【００４５】
また、本実施形態に係る出隅竪樋システム１０において、第１係止部２８の内側には小径竪樋１２ｂの竪樋継手５０の係止爪部５８が上下方向に抜けるのを防止する突起３２が設けられていてもよい。
【００４６】
また、本実施形態に係る出隅竪樋システム１０において、支持具２０の基板部２２の裏面には、躯体柱３との間に形成される空間に突出するリブ２３が突設されているのが好ましい。
【００４７】
さらに、本実施形態に係る出隅竪樋システム１０において、小径竪樋１２ｂは、竪樋継手５０と、竪樋継手５０によって連結される上側竪樋部１３ａ及び下側竪樋部１３ｂとを含んでもよい。竪樋継手５０は、上側竪樋部１３ａが嵌合される上側嵌合部５２と、下側竪樋部１３ｂが嵌合される下側嵌合部５４と、上側嵌合部５２と下側嵌合部５４との間に設けられた環状の帯部５６とを有してもよい。そして、一対の係止爪部５８が帯部５６から外径側に突出して形成されるとともに帯部５６よりも上下方向の幅が広く形成されているのが好ましい。また、一対の係止爪部５８と上側嵌合部５２及び下側嵌合部５４との間には上側竪樋部１３ａ及び下側竪樋部１３ｂが嵌り込む隙間Ｓがそれぞれ形成されているのが好ましい。この構成によれば、一対の係止爪部５８が帯部５６よりも幅広に形成されていることで、係止爪部５８の強度を増強することができる。また、上記のように隙間Ｓに上側竪樋部１３ａ及び下側竪樋部１３ｂの端部が嵌り込んでいることで、竪樋継手５０と上側竪樋部１３ａ及び下側竪樋部１３ｂとを安定した連結状態に維持することができる。
【００４８】
なお、本発明に係る出隅竪樋システムは、上述した実施形態およびその変形例に限定されるものではなく、本願の特許請求の範囲に記載された事項の範囲内において種々の変更や改良が可能である。
【００４９】
例えば、上記においては、小径竪樋１２ｂが竪樋継手５０と上側竪樋部１３ａ及び下側竪樋部１３ｂとによって構成される例について説明したが、これに限定されない。小径竪樋もまた、大径竪樋部と同様に、長尺状の円筒部分と一対の係止爪部とが一体に形成されたものであってもよい。
【００５０】
また、上記においては、支持具２０において突起３２が第１係止部２８だけに形成される例について説明したが、これに限定されるものではなく、第２係止部３０にも突起を設けてもよい。この場合、大径竪樋１２ａの一対の係止爪部４２に対して局部的に摩擦力を大きくなることで、一対の係止爪部４２を有する大径竪樋１２ａが支持具２０に対して上下方向に抜けにくくすることができる。
【００５１】
さらに、上記においては２種類の直径の竪樋１２ａ，１２ｂについて支持具２０を共用する場合について説明したが、これに限定されない。支持具に３対以上の係止部を設け、３種類以上の直径の異なる竪樋について共用できるようにしてもよい。
【符号の説明】
【００５２】
１  建物、２  出隅部、３  躯体柱、４  外壁材、５  出隅部材、５ａ，５ｂ  内側壁部、６ａ  第１支持壁部、６ｂ  第２支持壁部、１０  出隅竪樋システム、１２  竪樋、１２ａ  大径竪樋（第２竪樋）、１２ｂ  小径竪樋（第１竪樋）、１３ａ  上側竪樋部、１３ｂ  下側竪樋部、２０  支持具、２２  基板部、２３  リブ、２４ａ，２４ｂ  傾斜面部、２５ａ，２５ｂ  先端部、２６  貫通孔、２８  第１係止部、３０  第２係止部、３２  突起、４２  係止爪部（第２係止爪部）、５０  竪樋継手、５２  上側嵌合部、５４  下側嵌合部、５６  帯部、５８  係止爪部（第１係止爪部）、Ｓ  隙間。
【図１】
2019206810.tif 000003
【図２】
2019206810.tif 000004
【図３】
2019206810.tif 000005
【図４】
2019206810.tif 000006
【図５】
2019206810.tif 000007
【図６】
2019206810.tif 000008
【図７】
2019206810.tif 000009
【図８】
2019206810.tif 000010
【図９】
2019206810.tif 000011